(57)【要約】【課題】正逆の両方向のいずれにも容易に吊位置を可変調節することができるカーテンつり下げ具を提供する。【解決手段】カーテンに取り付けられるカーテン取付部と、カーテンの支持物に取り付けられると共に該カーテン取付部に取り付けられる支持物取付部と、を備えてなるカーテンつり下げ具であって、該カーテン取付部と該支持物取付部とのいずれか一方が、リング部分係合部を含むリング部分を有すると共に、他方が、該リング部分に内嵌される棒状の嵌入部分であって該リング部分係合部に係合可能な嵌入部分係合部を含む嵌入部分を有し、該リング部分に該嵌入部分を内嵌したとき、該嵌入部分に対する該リング部分の回転位置に応じて、該嵌入部分係合部と該リング部分係合部とが互いに係合する係止状態と、該嵌入部分係合部と該リング部分係合部との係合が解放される解放状態と、をとりうるものである、カーテンつり下げ具。【選択図】  図１
2004229949.tif 000002
【特許請求の範囲】
【請求項１】
カーテンに取り付けられるカーテン取付部と、カーテンの支持物に取り付けられると共に該カーテン取付部に取り付けられる支持物取付部と、を備えてなるカーテンつり下げ具であって、
該カーテン取付部と該支持物取付部とのいずれか一方が、リング部分係合部を含むリング部分を有すると共に、他方が、該リング部分に内嵌される棒状の嵌入部分であって該リング部分係合部に係合可能な嵌入部分係合部を含む嵌入部分を有し、
該リング部分に該嵌入部分を内嵌したとき、該嵌入部分に対する該リング部分の回転位置に応じて、該嵌入部分係合部と該リング部分係合部とが互いに係合する係止状態と、該嵌入部分係合部と該リング部分係合部との係合が解放される解放状態と、をとりうるものである、カーテンつり下げ具。
【請求項２】
前記係止状態と前記解放状態との間を遷移する際に、前記嵌入部分と前記リング部分とが互いに押圧することで前記嵌入部分か前記リング部分の少なくともいずれかが弾性変形をするものである、請求項１に記載のカーテンつり下げ具。
【請求項３】
前記嵌入部分係合部は、前記嵌入部分の長手方向に沿って複数形成され、
前記係止状態においては、前記リング部分係合部が、該複数形成された嵌入部分係合部のいずれかに係合するものである、請求項１又は２に記載のカーテンつり下げ具。
【請求項４】
前記支持物取付部が、カーテンの前記支持物に取り付けられたとき、前記嵌入部分の長手方向が上下方向に向くものであり、
前記係止状態において、前記支持物取付部に対して前記カーテン取付部が上昇する方向には前記嵌入部分係合部に対して前記リング部分係合部が移動可能であり、かつ、その逆の方向には移動不可能であるものである、請求項３に記載のカーテンつり下げ具。
【請求項５】
前記嵌入部分係合部が凹部によって構成され、
前記リング部分係合部は、前記リング部分の内側に向かって張り出した張り出し部分により構成されるものである、請求項３又は４に記載のカーテンつり下げ具。
【請求項６】
前記嵌入部分係合部が凹部によって構成され、
前記リング部分係合部は、前記リング部分の内側に向かって張り出した張り出し部分により構成されるものであり、
前記係止状態において該張り出し部分が該凹部と係合したときの位置である係合位置よりも該凹部の上の上面が前記嵌入部分の長手方向に沿った両方向のうち上方に向かう方向に対してなす角度と、該係合位置よりも該凹部の下の下面が該両方向のうち下方に向かう方向に対してなす角度と、を異ならせて形成されているものである、請求項４に記載のカーテンつり下げ具。
【請求項７】
前記支持物取付部が、カーテンの前記支持物に取り付けられたとき、前記嵌入部分の長手方向が上下方向に向くものである、請求項１乃至３のいずれかに記載のカーテンつり下げ具。
【請求項８】
前記係止状態において、前記嵌入部分と前記リング部分とが互いに押圧することで前記嵌入部分か前記リング部分の少なくともいずれかが弾性変形をしているものである、請求項１乃至７のいずれかに記載のカーテンつり下げ具。
【発明の詳細な説明】
【０００１】
【発明の属する技術分野】
本発明は、カーテンつり下げ具に関し、より詳細には、カーテンレールにスライド自在に取り付けられたカーテンランナー等のようなカーテンの支持物に対してカーテンをつり下げるためのカーテンつり下げ具に関する。
【０００２】
【従来の技術】
カーテンランナー等のようなカーテンの支持物に対してカーテンをつり下げるためのカーテンつり下げ具は、以前から知られており、例えば、金属の線材を平らな「Ｓ」字状に折り曲げて成形したものや、樹脂材料によって形成したものが知られている（例えば、特許文献１参照）。特許文献１の図５には、カーテンの止着杆１２を背面側に有する本体部１３と、カーテンランナーへの係止杆１４を有し、両端部を鉤部とした断面略コ字状の摺合体１５と、からなり、当該摺合体１５が上記本体部１３をほぼ包囲して嵌合し、本体部１３の前面に形成した下向鋸歯状突起１６の係合部１７に、摺合体１５に形成した戻り止めの係合爪１８で係合する吊り位置可変調節型の樹脂製のカーテンつり下げ具が記載されている。また、特許文献１の図１には、特許文献１の図５に記載のカーテンつり下げ具を改良したものが記載されており、やはりこれも吊り位置可変調節型の樹脂製のカーテンつり下げ具である。
【０００３】
【特許文献１】
実開平６−１１５８１号公報（第１図、第５図）
【０００４】
【発明が解決しようとする課題】
しかしながら、上述したような従来から知られている吊り位置可変調節型の樹脂製のカーテンつり下げ具においては、下向鋸歯状突起を有する係合部に、摺合体に形成した戻り止めの係合爪が係合することで吊位置を可変調節することができるようにしているので、カーテンランナー等のようなカーテンの支持物に対してカーテンを引き上げる方向には吊位置を可変調節することができるが、該支持物に対してカーテンを下げる方向には吊位置を直接可変調節することができないという問題を有していた（もっとも、該支持物に対してカーテンを下げる方向に吊位置を容易に可変調節することができるようにすると、カーテンの重量やカーテンに加わる下向きの力によって、不意にカーテンが下がるという問題が生じうる。）。
このため該支持物に対してカーテンを下げる方向に吊位置を調節するには、カーテンの止着杆１２を背面側に有する本体部１３を、カーテンランナーへの係止杆１４を有する摺合体１５に対して上方向に移動させることで本体部１３を摺合体１５から抜き取り、再び、本体部１３を摺合体１５の下方向から嵌入して所望の吊位置になるように調節する必要があった（特許文献１の図５を参照されたい。また、特許文献１の図１に示されたカーテンつり下げ具も同様の作業を要する。）。このような該支持物に対してカーテンを下げる方向への吊位置調節作業は、本体部１３の摺合体１５への抜き差しを要するので極めて煩雑であることに加え、通常、カーテンつり下げ具は高所に配設されることが多いのでかかる煩雑な作業を行うことは危険が伴う場合があった。
【０００５】
そこで、本発明では、正逆の両方向（例えば、上述したように、カーテンランナー等のようなカーテンの支持物に対してカーテンを引き上げる方向とカーテンを下げる方向との両方向）のいずれにも容易に吊位置を可変調節することができるカーテンつり下げ具を提供することを目的とする。
【０００６】
【課題を解決するための手段】
本発明のカーテンつり下げ具（以下、「本つり下げ具」という。）は、カーテンに取り付けられるカーテン取付部と、カーテンの支持物に取り付けられると共に該カーテン取付部に取り付けられる支持物取付部と、を備えてなるカーテンつり下げ具であって、該カーテン取付部と該支持物取付部とのいずれか一方が、リング部分係合部を含むリング部分を有すると共に、他方が、該リング部分に内嵌される棒状の嵌入部分であって該リング部分係合部に係合可能な嵌入部分係合部を含む嵌入部分を有し、該リング部分に該嵌入部分を内嵌したとき、該嵌入部分に対する該リング部分の回転位置に応じて、該嵌入部分係合部と該リング部分係合部とが互いに係合する係止状態と、該嵌入部分係合部と該リング部分係合部との係合が解放される解放状態と、をとりうるものである、カーテンつり下げ具である。
【０００７】
こうすることで、カーテン取付部がカーテンに取り付けられ、支持物取付部が、カーテンの支持物に取り付けられると共に該カーテン取付部に取り付けられるので、本つり下げ具を用いることで該支持物に対してカーテンをつり下げることができる（該支持物に取り付けられた支持物取付部にカーテン取付部が取り付けられ、さらにそのカーテン取付部にカーテンが取り付けられるので、該支持物に対してカーテンをつり下げることができる。）。
そして、カーテン取付部と支持物取付部とのいずれか一方が、リング部分係合部を含むリング部分を有すると共に、他方が、該リング部分に内嵌される棒状の嵌入部分であって該リング部分係合部に係合可能な嵌入部分係合部を含む嵌入部分を有する。即ち、リング部分が有するリング部分係合部（該一方が有する。）と、嵌入部分が有する嵌入部分係合部（該他方が有する。）と、が係合可能である（嵌入部分がリング部分に内嵌された状態で、リング部分係合部と嵌入部分係合部とが係合可能である。）。
さらに、リング部分に嵌入部分を内嵌したとき、嵌入部分に対するリング部分の回転位置に応じて、嵌入部分係合部とリング部分係合部とが互いに係合する係止状態と、嵌入部分係合部とリング部分係合部との係合が解放される解放状態と、をとりうるので、リング部分に嵌入部分を内嵌して嵌入部分に対するリング部分の回転位置を変えることによって係止状態と解放状態とを自由に変えることができる。
【０００８】
このため本つり下げ具においては、係止状態であれば嵌入部分係合部とリング部分係合部とが互いに係合することでリング部分と嵌入部分とが係止され、支持物に対して確実にカーテンをつり下げることができる。一方、嵌入部分に対するリング部分の回転位置を変えることにより解放状態とすれば、嵌入部分係合部とリング部分係合部との係合が解放されることで、リング部分と棒状の嵌入部分との位置関係（リング部分に内嵌される嵌入部分の嵌入位置、即ち、嵌入部分が形成する棒状形状の長手方向に沿ったリング部分に対する嵌入部分の位置）を調節することができ、その後、嵌入部分に対するリング部分の回転位置を変えて係合状態とすれば、その調節された位置にて支持物に対して確実にカーテンをつり下げることができる。
即ち、本つり下げ具は、嵌入部分が形成する棒状形状の長手方向に沿った正逆の両方向（例えば、上述したように、カーテンランナー等のようなカーテンの支持物に対してカーテンを引き上げる方向とカーテンを下げる方向との両方向）のいずれにも容易（嵌入部分に対するリング部分の回転位置を変える。）に吊位置を可変調節することができる。
【０００９】
前記係止状態と前記解放状態との間を遷移する際に、前記嵌入部分と前記リング部分とが互いに押圧することで前記嵌入部分か前記リング部分の少なくともいずれかが弾性変形をするものであってもよい。
こうすることで、前記係止状態と前記解放状態との間を遷移する際、前記嵌入部分か前記リング部分の少なくともいずれかが弾性変形をするので、両状態を遷移するのに該弾性変形を生じさせるための抵抗が存する。即ち、嵌入部分に対するリング部分の回転位置を変えて両状態間を遷移させるには、かかる抵抗に抗して行われる必要があるので、不意に両状態間を遷移することがなくなる（例えば、係止状態において支持物に対してカーテンをつり下げた状態にて、不意に解放状態になる等という問題が生じないか又は生じる可能性が小さくなる。）。
【００１０】
前記嵌入部分係合部は、前記嵌入部分の長手方向に沿って複数形成され、前記係止状態においては、前記リング部分係合部が、該複数形成された嵌入部分係合部のいずれかに係合するもの（以下、「嵌入部分係合部複数形成物」という。）であってもよい。
こうすることで係止状態においては、リング部分係合部が、嵌入部分の長手方向に沿って複数形成された嵌入部分係合部のいずれに係合するかによって、嵌入部分が形成する棒状形状の長手方向に沿った正逆の両方向のいずれにも容易に吊位置を調節することができる。
【００１１】
嵌入部分係合部複数形成物の場合、前記支持物取付部が、カーテンの前記支持物に取り付けられたとき、前記嵌入部分の長手方向が上下方向に向くものであり、前記係止状態において、前記支持物取付部に対して前記カーテン取付部が上昇する方向には前記嵌入部分係合部に対して前記リング部分係合部が移動可能であり、かつ、その逆の方向には移動不可能であるもの（以下、「１方向移動可能物」という。）であってもよい。
支持物取付部が、カーテンの前記支持物に取り付けられたとき、前記嵌入部分の長手方向が上下方向に向くものであれば、嵌入部分が形成する棒状形状の長手方向に沿った正逆の両方向が上下方向に向くので、カーテンランナー等のようなカーテンの支持物に対してカーテンを引き上げる方向とカーテンを下げる方向との両方向（カーテンの取り付け位置は上下方向に調節する要求が最も多いものと考えられる。）に吊位置を可変調節することができる。
そして、係止状態において、支持物取付部に対してカーテン取付部が上昇する方向（カーテンが上昇する方向）には嵌入部分係合部に対してリング部分係合部が移動可能であり、かつ、その逆の方向（カーテンが下降する方向）には移動不可能であるようにされることで、カーテンの重量がカーテン取付部に加わってもカーテンが不意に下降することがなく、かつ、係止状態のままカーテンが上昇する方向には位置を調節することができ便利である（無論、解放状態にすれば、カーテンが上昇する方向と下降する方向との両方向に調節できる。）。
なお、ここにいう「嵌入部分の長手方向が上下方向に向く」とは、嵌入部分の長手方向（長手方向に平行な直線）が水平方向に対してなす角（０度以上９０度以下のものをいう。）が、０度より大きいことをいうが、カーテンを上下方向に位置調節することからは、該なす角は、好ましくは３０度以上であり、より好ましくは４０度以上であり、最も好ましくは５０度以上である。
【００１２】
嵌入部分係合部複数形成物の場合、前記嵌入部分係合部が凹部によって構成され、前記リング部分係合部は、前記リング部分の内側に向かって張り出した張り出し部分により構成されるものであってもよい。
こうすることで、係止状態においては、リング部分の内側に向かって張り出した該張り出し部分が、嵌入部分の長手方向に沿って複数形成された凹部のいずれかに係合するので、嵌入部分の長手方向に沿って複数の点にて嵌入部分係合部とリング部分係合部とが互いに確実に係合することができる。
【００１３】
１方向移動可能物の場合、前記嵌入部分係合部が凹部によって構成され、前記リング部分係合部は、前記リング部分の内側に向かって張り出した張り出し部分により構成されるものであり、前記係止状態において該張り出し部分が該凹部と係合したときの位置である係合位置よりも該凹部の上の上面が前記嵌入部分の長手方向に沿った両方向のうち上方に向かう方向に対してなす角度と、該係合位置よりも該凹部の下の下面が該両方向のうち下方に向かう方向に対してなす角度と、を異ならせて形成されているものであってもよい。
ここに「係合位置」とは、係止状態において該張り出し部分（通常、先端をいう。）が該凹部と係合したときの該張り出し部分（通常、先端をいう。）が係合している該凹部の位置をいう。
【００１４】
そして、「係合位置よりも該凹部の上の上面が前記嵌入部分の長手方向に沿った両方向のうち上方に向かう方向に対してなす角度」とは、前記嵌入部分の長手方向に沿うと共に係合位置を通過する直線を含む第１の平面であって、該凹部の上面（係合位置よりも上に存する該凹部の表面）に対して垂直な第１の平面によって該凹部を切断した断面において、該凹部の該上面に沿った両方向のうち該凹部の外部に向かう方向と、前記嵌入部分の長手方向に沿った両方向のうち上方に向かう方向と、がなす角度をいう（該凹部の該上面に沿った両方向のうち該凹部の外部に向かう方向が、該上面の位置において変化する場合は最大の角度をとる。）。図１６を参照して、具体的に説明する。図１６においては、前記嵌入部分係合部が凹部２０１によって構成され、前記リング部分係合部は、前記リング部分の内側に向かって張り出した張り出し部分（図示せず）により構成されている。ここに係止状態において該張り出し部分が凹部２０１と係合したときの該張り出し部分が係合する凹部２０１の位置である係合位置は、ここでは凹部２０１の底部２０１ａ（凹部２０１の最も深い部分）になるものとする。そして、嵌入部分２０３の長手方向を図１６中の矢印Ｖにて示す（なお、この長手方向Ｖに沿った両方向Ｖ１、Ｖ２のうち上方に向かう方向をＶ２とし、下方に向かう方向をＶ１とする。）。かかる場合における「係合位置よりも該凹部の上の上面が前記嵌入部分の長手方向に沿った両方向のうち上方に向かう方向に対してなす角度」とは、嵌入部分２０３の長手方向Ｖに沿うと共に係合位置２０１ａを通過する直線２０５を含む第１の平面であって、凹部２０１の上面２０２ａ（係合位置２０１ａよりも上に存する凹部２０１の表面）に対して垂直な第１の平面（ここでは図１６が示す平面）によって凹部２０１を切断した断面（即ち、図１６が示す断面）において、凹部２０１の上面２０２ａに沿った両方向Ｕ１、Ｕ２のうち凹部２０１の外部２０７に向かう方向Ｕ２と、嵌入部分２０３の長手方向Ｖに沿った両方向Ｖ１、Ｖ２のうち上方に向かう方向Ｖ２と、がなす角度２０９（なお、図１６中、矢印ｖ２は矢印Ｖ２と平行であり、矢印ｕ２は矢印Ｕ２と平行である。）をいう（また、図１６においては、凹部２０１の上面２０２ａに沿った両方向Ｕ１、Ｕ２のうち凹部２０１の外部２０７に向かう方向Ｕ２が、上面２０２ａの位置において変化しない。）。
【００１５】
同様に、「該係合位置よりも該凹部の下の下面が該両方向のうち下方に向かう方向に対してなす角度」とは、前記嵌入部分の長手方向に沿うと共に係合位置を通過する直線を含む第２の平面であって、該凹部の下面（係合位置よりも下に存する該凹部の表面）に対して垂直な第２の平面によって該凹部を切断した断面において、該凹部の該下面に沿った両方向のうち該凹部の外部に向かう方向と、前記嵌入部分の長手方向に沿った両方向のうち下方に向かう方向と、がなす角度をいう（該凹部の該下面に沿った両方向のうち該凹部の外部に向かう方向が、該下面の位置において変化する場合は最大の角度をとる。）。そして、図１６において具体的に説明すれば、「該係合位置よりも該凹部の下の下面が該両方向のうち下方に向かう方向に対してなす角度」とは、嵌入部分２０３の長手方向Ｖに沿うと共に係合位置２０１ａを通過する直線２０５を含む第２の平面であって、凹部２０１の下面２０２ｂ（係合位置２０１ａよりも下に存する凹部２０１の表面）に対して垂直な第２の平面（ここでは図１６が示す平面。なお、ここでは第１の平面と一致している。）によって凹部２０１を切断した断面（即ち、図１６が示す断面）において、凹部２０１の下面２０２ｂに沿った両方向Ｕ３、Ｕ４のうち凹部２０１の外部２０７に向かう方向Ｕ４と、嵌入部分２０３の長手方向Ｖに沿った両方向Ｖ１、Ｖ２のうち下方に向かう方向Ｖ１と、がなす角度２１１（なお、図１６中、矢印ｖ１は矢印Ｖ１と平行であり、矢印ｕ４は矢印Ｕ４と平行である。）をいう（また、図１６においては、凹部２０１の下面２０２ｂに沿った両方向Ｕ３、Ｕ４のうち凹部２０１の外部２０７に向かう方向Ｕ４が、下面２０２ｂの位置において変化しない。）。
【００１６】
こうすることで、係止状態においては、リング部分の内側に向かって張り出した該張り出し部分が、嵌入部分の長手方向に沿って複数形成された凹部のいずれかに係合するので、嵌入部分の長手方向に沿って複数の点にて嵌入部分係合部とリング部分係合部とが互いに確実に係合することができる。
そして「係合位置よりも該凹部の上の上面が前記嵌入部分の長手方向に沿った両方向のうち上方に向かう方向に対してなす角度」（以下、「上面角度」という。）と「該係合位置よりも該凹部の下の下面が該両方向のうち下方に向かう方向に対してなす角度」（以下、「下面角度」という。）とは、嵌入部分係合部に対してリング部分係合部が移動する際の抵抗の大きさに関係する。即ち、嵌入部分係合部に対してリング部分係合部が嵌入部分の長手方向に沿って上方に移動するときは上面角度が抵抗の大きさに関係し、嵌入部分係合部に対してリング部分係合部が嵌入部分の長手方向に沿って下方に移動するときは下面角度が抵抗の大きさに関係する。これら上面角度が小さいほど上方への移動抵抗が減少し、下面角度が小さいほど下方への移動抵抗が減少するので、これら上面角度と下面角度とを異ならせることによって、係止状態においては、カーテンの重量等がカーテン取付部に加わってもカーテンが不意に下降することがなく、かつ、カーテンが上昇する方向には位置を調節することを容易かつ確実に達成できる。
【００１７】
前記支持物取付部が、カーテンの前記支持物に取り付けられたとき、前記嵌入部分の長手方向が上下方向に向くものであってもよい。
こうすることで、支持物取付部が、カーテンの前記支持物に取り付けられたとき、前記嵌入部分の長手方向が上下方向に向くので、嵌入部分が形成する棒状形状の長手方向に沿った正逆の両方向が上下方向に向くので、カーテンランナー等のようなカーテンの支持物に対してカーテンを引き上げる方向とカーテンを下げる方向との両方向（カーテンの取り付け位置は上下方向に調節する要求が最も多いものと考えられる。）に吊位置を可変調節することができる。
なお、ここにいう「嵌入部分の長手方向が上下方向に向く」とは、嵌入部分の長手方向が水平方向に対してなす角（０度以上９０度以下のものをいう。）が、０度より大きいことをいうが、カーテンを上下方向に位置調節することからは、該なす角は、好ましくは３０度以上であり、より好ましくは４０度以上であり、最も好ましくは５０度以上である。
【００１８】
前記係止状態において、前記嵌入部分と前記リング部分とが互いに押圧することで前記嵌入部分か前記リング部分の少なくともいずれかが弾性変形をしているものであってもよい。
こうすることで、係止状態において、嵌入部分とリング部分とが互いに押圧することで嵌入部分かリング部分の少なくともいずれかが弾性変形をしているので、係止状態において嵌入部分とリング部分とが互いに押し合うように力を加え合うことから、係止状態がうまく保たれ不意に解放状態になることを防止又は減少させることができる。
【００１９】
【発明の実施の形態】
以下、本発明の実施の形態を図面を参照して説明する。しかしながら、これらによって本発明は何ら制限されるものではない。
【００２０】
図１は一実施形態の本発明のカーテンつり下げ具１１（本つり下げ具）を示す正面図である。図２はカーテン取付部分２１の正面図であり、図３はカーテン取付部分２１の平面図（図２中、矢印Ａ方向から見たところを示している。）であり、図４はカーテン取付部分２１の左側面図（図２中、矢印Ｂ向から見たところを示している。）である。図５は支持物取付部分４１の正面図であり、図６は支持物取付部分４１の平面図（図５中、矢印Ｃ方向から見たところを示している。）であり、図７は支持物取付部分４１の左側面図（図５中、矢印Ｄ方向から見たところを示している。）であり、図８は図５のＥ−Ｅ断面図であり、図９は図５のＦ−Ｆ断面図であり、図１０は図６のＧ−Ｇ断面図である。図１１は、図２の円Ｋ中に存在する凹部２８の拡大図である。そして、図１２（ａ）は図２のＲ−Ｒ断面図（凸部２４を略通過するように切断したものである。）であり、図１２（ｂ）は図２のＳ−Ｓ断面図（凹部２８の底部２８ｔを略通過するように切断したものである。）である。図１乃至図１２を参照して、本つり下げ具１１について説明する。
本つり下げ具１１は、カーテン取付部分２１と支持物取付部分４１とを備えてなる。
なお、従来のカーテンつり下げ具と同様、本つり下げ具１１は、後述するようにカーテンランナー等のようなカーテンの支持物に支持物取付部分４１のフック部５１が引っかけられると共に、カーテンの上端近傍に形成される袋部分（図示せず）にカーテン取付部分２１の挿入棒２５が挿入された状態で用いられるが、かかる状態においては本つり下げ具１１の一端１１ａよりも他端１１ｂの方が上方に位置する。
【００２１】
カーテン取付部分２１は、一端（ここでは下端）が互いに連結された一対の棒状部材２３、２５によって形成されており、全体としてはいわゆるヘアピン形状に似た「Ｕ」形状をしている。
具体的には、カーテン取付部分２１は、棒状の嵌入棒２３と、カーテンの上端近傍に形成される袋部分（図示せず）に挿入されることでカーテンに対してカーテン取付部分２１を取り付ける挿入棒２５と、を有しており、樹脂材料によって一体に形成されている。棒状の嵌入棒２３と挿入棒２５とはほぼ同じ長さを有しており、長手方向が略平行になるように一端（ここでは下端）が互いに連結されている。
【００２２】
嵌入棒２３には、長手方向（図１及び図２中、矢印Ｊ方向）に沿って複数の凹部２８が内側（挿入棒２５に面する側）に形成されている。図１１（凹部２８の拡大図）を参照して、凹部２８について詳しく説明する。
複数の凹部２８はいずれも同じ形状を有している。なお、複数の凹部２８同士の間には凸部２４が形成されている。
そして、それぞれの凹部２８は、嵌入棒２３の長手方向（図１、図２及び図１１中、矢印Ｊ方向）に対して略垂直方向に沿ってのびる凹条として形成されている（なお、図４においては、凹部２８の底部２８ｔと凸部２４とが重なることで略同じ線として示されるので、凸部２４は示していないが、現実には、底部２８ｔと同じ線上に凸部２４が存する。）。
まず、後述するように、凹部２８の底部２８ｔ（凹部２８のうち、最も深い部分）は、係止状態において張り出し部分（後述の第２の弦に沿った部分４４ｂｔ２）が凹部２８と係合する位置である係合位置に該当する。
そして、図１１に示すように、嵌入棒２３の長手方向（図１、図２及び図１１中、矢印Ｊ方向）に沿うと共に係合位置たる底部２８ｔを通過する直線を含む第１の平面であって、凹部２８の上面２８ａ（係合位置（底部２８ｔ）よりも上に存する凹部２８の表面）に対して垂直な第１の平面によって凹部２８を切断した断面（図１１に示すのと同じ形状があらわれる。）において、凹部２８の上面２８ａに沿った両方向のうち凹部２８の外部２９に向かう方向Ｕ２と、嵌入棒２３の長手方向（図１及び図２中、矢印Ｊ方向）に沿った両方向のうち上方に向かう方向Ｊ８と、がなす角度Ｍ（ほぼ９０度）が上面角度に該当する（矢印Ｐ１は矢印Ｊ８に平行である。）。
また、図１１に示すように、嵌入棒２３の長手方向（図１、図２及び図１１中、矢印Ｊ方向）に沿うと共に係合位置たる底部２８ｔを通過する直線を含む第２の平面であって、凹部２８の下面２８ｂ（係合位置（底部２８ｔ）よりも下に存する凹部２８の表面）に対して垂直な第２の平面によって凹部２８を切断した断面（図１１に示すのと同じ形状があらわれる。）において、凹部２８の下面２８ｂに沿った両方向のうち凹部２８の外部２９に向かう方向Ｕ４と、嵌入棒２３の長手方向（図１及び図２中、矢印Ｊ方向）に沿った両方向のうち下方に向かう方向Ｊ９と、がなす角度Ｎ（ほぼ１０度程度。なお、図１１においては図示を容易にするため、角度Ｎを実際よりも大きくして図示している。）が下面角度に該当する（矢印Ｐ２は矢印Ｊ９に平行である。）。
このように上面角度Ｍと下面角度Ｎとを異ならせて形成している。
【００２３】
そして、嵌入棒２３は、その長手方向（図１、図２及び図１１中、矢印Ｊ方向）に対して垂直な断面において図１２に示すような断面形状を有している。図１２（ａ）は図２のＲ−Ｒ断面図（凸部２４を略通過するように切断したものである。）であり、図１２（ｂ）は図２のＳ−Ｓ断面図（凹部２８の底部２８ｔを略通過するように切断したものである。）である。図１２を参照して、嵌入棒２３の断面形状について説明する。
ここに図１２（ａ）に示すように凸部２４を略通過する部分の断面形状は、２辺の長さがｘ１、ｘ２（ｘ２＞ｘ１）である長方形の角を丸めた形状をしており、図１２（ｂ）に示すように凹部２８の底部２８ｔを略通過する部分の断面形状は、２辺の長さがｘ１、ｘ３（ｘ２＞ｘ３）である長方形のうち長さｘ１の２辺のうち一方の両端にある２の角の部分を丸めた形状をしている（長さｘ１の２辺のうち他方の両端にある２の角は丸められていない。）。
【００２４】
支持物取付部分４１は、リング部４３と、リング部４３に連なるように形成されたフック部５１と、を有してなり、全体として樹脂材料によって一体に形成されている。
リング部４３は、外形が略円柱形をしており、該円柱の軸に沿って貫通穴４５が形成されている。貫通穴４５は、該円柱の該軸に対して垂直な断面（例えば、図８が示すＥ−Ｅ断面や、図９が示すＦ−Ｆ断面）において、円周をその弦によって切断した形状を有している。具体的には、円周をその弦である第１の弦によって切断した形状（該円周の半径が通過する部分を有する方）を有する第１部分４４ａ（例えば、図８が示すＥ−Ｅ断面。図８中には、円周４５ａと第１の弦４５ｂとして示した。）と、該円周を該第１の弦に平行な第２の弦と該第１の弦とによって切断した形状（該円周の半径が通過する部分を有する。）を有する第２部分４４ｂ（例えば、図９が示すＦ−Ｆ断面。図９中には、円周４５ａと第１の弦４５ｂと第２の弦４５ｃとして示した。）と、を貫通穴４５は有している。なお、図１０に示すように、点線Ｑによって第１部分４４ａと第２部分４４ｂとは分けられており、さらに第２部分４４ｂは、第１部分４４ａから離れるほど該第１の弦と該第２の弦との距離が小さくなる（即ち、上に行くほど狭くなる。）。
【００２５】
そして、第２部分４４ｂの最も狭い部分４４ｂｔ（該第１の弦と該第２の弦との距離が最も小さくなっている部分。ここでは第２部分４４ｂのうち、第１部分４４ａから最も離れた最上部）は、嵌入棒２３のうち凸部２４が存する部分（図１２（ａ）に示す部分）を、該第１の弦に沿った部分４４ｂｔ１と該第２の弦に沿った部分４４ｂｔ２とに長さｘ２の辺が略平行に配置された場合に遊嵌することができる（特に、図５、図６、図１０及び図１２を参照されたい。）。そして、第２部分４４ｂの最も狭い部分４４ｂｔは、嵌入棒２３のうち凹部２８の底部２８ｔが存する部分（図１２（ｂ）に示す部分）が、該第１の弦に沿った部分４４ｂｔ１と該第２の弦に沿った部分４４ｂｔ２とに長さｘ１の辺が略平行に配置された場合、該第２の弦に沿った部分４４ｂｔ２と凹部２８の底部２８ｔとが互いに接し、かつ凹部２８の底部２８ｔに相対する部分（図１２（ｂ）においては部分２３ｐ）と該第１の弦に沿った部分４４ｂｔ１とが接するように嵌入棒２３のうち凹部２８の底部２８ｔが存する部分を第２部分４４ｂの最も狭い部分４４ｂｔに嵌入することができる（このように嵌入棒２３のうち凹部２８の底部２８ｔが存する部分が第２部分４４ｂの最も狭い部分４４ｂｔに嵌入された場合、嵌入棒２３のうち凹部２８の底部２８ｔが存する部分と第２部分４４ｂの最も狭い部分４４ｂｔとは互いに押圧し両者（とりわけ第２部分４４ｂの最も狭い部分４４ｂｔ）が弾性変形する。）。
【００２６】
また、リング部４３の側面（リング部４３が形成する略円柱形の側面部分）のうち、フック部５１が取り付けられた方向とは反対方向に突出するように突起４７が形成されている。突起４７は、下方に行くにつれて突出高さが大きくなるような形状を有しており、これは図１に示したような状態において嵌入棒２３と挿入棒２５との間にカーテンを挟持させやすくかつ挟持されたカーテンが不意に抜けにくくするために設けられている。
【００２７】
フック部５１は、第１部分５１ａと第２部分５１ｂとが連結部分５３によって連結された鈎形状に似た形状（「Ｕ」の字を上下逆にしたような形状）を有しており、上方に向かって突出するようリング部４３に一端が取り付けられている。
また、第１部分５１ａに接近するように第２部分５１ｂが屈曲した屈曲部分５１ｂｂは、カーテンランナー等のようなカーテンの支持物にフック部５１が引っかけられたとき（該支持物が第１部分５１ａと第２部分５１ｂとの間５２に嵌入されたとき）、該支持物が第１部分５１ａと第２部分５１ｂとの間５２から不意に外れることを防止又は減少させるものである。
【００２８】
次いで、本つり下げ具１１の使用方法を簡単に説明する。
まず、カーテン取付部分２１と支持物取付部分４１とを組み付ける。具体的には、図１３に示すように、第２部分４４ｂの最も狭い部分４４ｂｔを規定する該第１の弦に沿った部分４４ｂｔ１と該第２の弦に沿った部分４４ｂｔ２とに、嵌入棒２３のうち凸部２４が存する部分（図１２（ａ）に示す部分）の長さｘ２の辺が略平行になるような位置関係（なお、嵌入棒２３の長手方向（図１、図２及び図１１中、矢印Ｊ方向）と、リング部４３が形成する略円柱の軸と、が略平行になっている。）において、カーテン取付部分２１の嵌入棒２３を支持物取付部分４１のリング部４３（貫通穴４５）に嵌入する。なお、該位置関係においては、前述したように、嵌入棒２３はリング部４３（貫通穴４５）に遊嵌されるので、リング部４３は、嵌入棒２３の長手方向（図１及び図２中、矢印Ｊ方向）に沿って自由に移動することができる（解放状態）。
【００２９】
そして、リング部４３を嵌入棒２３の長手方向（図１及び図２中、矢印Ｊ方向）に沿って移動させることで、カーテン取付部分２１に対して支持物取付部分４１を所望の位置まで移動させた後、嵌入棒２３に対してリング部４３を嵌入棒２３の軸の周りに略９０度回転させる（図１３中、矢印Ｚ１方向）。
すると、嵌入棒２３とリング部４３とが互いに押圧することで両者（とりわけリング部４３）が弾性変形をして、嵌入棒２３のうち凹部２８の底部２８ｔが存する部分（図１２（ｂ）に示す部分）が該第１の弦に沿った部分４４ｂｔ１と該第２の弦に沿った部分４４ｂｔ２とに長さｘ１の辺が略平行に配置された図１４に示す状態となる。また、図１５は図１４のＷ−Ｗ断面図である（なお、図１４及び図１５に示した状態は図１の状態と同様である。）。図１４及び図１５を参照して、リング部４３と嵌入棒２３との状態について説明する。かかる状態においては、上述したように、凹部２８の底部２８ｔと、該第２の弦に沿った部分４４ｂｔ２と、が互いに接しており、かつ凹部２８に相対する部分（図１２（ｂ）においては部分２３ｐ）と該第１の弦に沿った部分４４ｂｔ１とが接するように嵌入棒２３のうち凹部２８の底部２８ｔが存する部分を第２部分４４ｂの最も狭い部分４４ｂｔに嵌入することができる（なお、嵌入棒２３に対してリング部４３を嵌入棒２３の軸の周りに図１３中の矢印Ｚ１方向に略９０度回転させる際、凹部２８の底部２８ｔと、該第２の弦に沿った部分４４ｂｔ２と、が互いに接するよう、嵌入棒２３とリング部４３とは嵌入棒２３の長手方向（図１及び図２中、矢印Ｊ方向）に沿って互いに相対的に移動可能である。）。
【００３０】
このような図１４及び図１５に示した状態では、該第２の弦に沿った部分４４ｂｔ２と、凹部２８の底部２８ｔと、が互いに係合しているので（特に、図１５を参照されたい。）、嵌入棒２３は、リング部４３に対して嵌入棒２３の長手方向（図１、図２及び図１５中、矢印Ｊ方向）のうち下がる方向（図１５中、矢印Ｊ２方向）には移動することができない（係止状態）。
一方、前述したように、上面角度Ｍと下面角度Ｎとを異ならせることによって、主としてリング部４３が弾性変形することで嵌入棒２３は、リング部４３に対して嵌入棒２３の長手方向（図１、図２及び図１５中、矢印Ｊ方向）のうち上がる方向（図１５中、矢印Ｊ１方向）には移動することができる（即ち、係止状態において、支持物取付部分４１に対してカーテン取付部分２１が上昇する方向には凹部２８の底部２８ｔに対して該第２の弦に沿った部分４４ｂｔ２が移動可能であり、かつ、その逆の方向には移動不可能である。）。
【００３１】
また、再び、カーテン取付部分２１に対する支持物取付部分４１の位置（嵌入棒２３の長手方向（図１、図２及び図１５中、矢印Ｊ方向）に沿った位置）を変更する場合には、図１４及び図１５の状態から、嵌入棒２３に対してリング部４３を嵌入棒２３の軸の周りに略９０度回転させる（図１４中、矢印Ｚ２又は矢印Ｚ３のいずれかの方向）。すると、該第２の弦に沿った部分４４ｂｔ２と、凹部２８の底部２８ｔと、の係合が解け、再び、嵌入棒２３は図１３のようにリング部４３（貫通穴４５）に遊嵌された状態になるので、リング部４３は、嵌入棒２３の長手方向（図１、図２及び図１５中、矢印Ｊ方向）に沿って自由に移動することができるようになる（解放状態）。
そして、リング部４３を嵌入棒２３の長手方向（図１、図２及び図１５中、矢印Ｊ方向）に沿って移動させ、カーテン取付部分２１に対して支持物取付部分４１を所望の位置まで移動させた後、図１４に示した状態になるように嵌入棒２３に対してリング部４３を嵌入棒２３の軸の周りに略９０度回転させる。すると、該第２の弦に沿った部分４４ｂｔ２と、凹部２８の底部２８ｔと、が再び互いに係合し、嵌入棒２３は、リング部４３に対して嵌入棒２３の長手方向（図１、図２及び図１５中、矢印Ｊ方向）のうち下がる方向（図１５中、矢印Ｊ２方向）には移動することができなくなる（係止状態。なお、前述のように、この係止状態にあっても、嵌入棒２３は、リング部４３に対して嵌入棒２３の長手方向（図１、図２及び図１５中、矢印Ｊ方向）のうち上がる方向（図１５中、矢印Ｊ１方向）には移動することができる。）。
【００３２】
このように嵌入棒２３に対してリング部４３を嵌入棒２３の軸の周りに回転させることで、該第２の弦に沿った部分４４ｂｔ２と凹部２８の底部２８ｔとが互いに係合しリング部４３に対して嵌入棒２３が嵌入棒２３の長手方向（図１、図２及び図１５中、矢印Ｊ方向）のうち下がる方向（図１５中、矢印Ｊ２方向）には移動することができない係止状態と、該第２の弦に沿った部分４４ｂｔ２と凹部２８の底部２８ｔとの係合が解けリング部４３が嵌入棒２３の長手方向（図１、図２及び図１５中、矢印Ｊ方向）に沿って自由に移動することができる解放状態と、を自由に選択することができる。そして、凹部２８は、嵌入棒２３の長手方向（図１、図２及び図１５中、矢印Ｊ方向）に沿って複数形成されているので、どの凹部２８の底部２８ｔを該第２の弦に沿った部分４４ｂｔ２と係合させるかによって、嵌入棒２３の長手方向（図１、図２及び図１５中、矢印Ｊ方向）に沿ってカーテン取付部分２１に対して支持物取付部分４１を所望の位置に配置することができる。
なお、このような嵌入棒２３の長手方向（図１、図２及び図１５中、矢印Ｊ方向）に沿ったカーテン取付部分２１に対する支持物取付部分４１の位置調節は、カーテンに挿入棒２５が挿入された状態でも挿入されていない状態でも行うことができ、同様に、カーテンランナー等のようなカーテンの支持物にフック部５１が引っかけられた状態でも引っかけられていない状態でも行うことができる。
【００３３】
以上説明したように、本つり下げ具１１は、カーテンに取り付けられるカーテン取付部たるカーテン取付部分２１と、カーテンの支持物（例えば、カーテンランナー等）に取り付けられると共にカーテン取付部たるカーテン取付部分２１に取り付けられる支持物取付部たる支持物取付部分４１と、を備えてなるカーテンつり下げ具であって、カーテン取付部たるカーテン取付部分２１と支持物取付部たる支持物取付部分４１とのいずれか一方（ここでは支持物取付部たる支持物取付部分４１）が、リング部分係合部たる該第２の弦に沿った部分４４ｂｔ２を含むリング部分たるリング部４３を有すると共に、他方（ここではカーテン取付部たるカーテン取付部分２１）が、リング部分たるリング部４３に内嵌される棒状の嵌入部分であってリング部分係合部たる該第２の弦に沿った部分４４ｂｔ２に係合可能な嵌入部分係合部たる凹部２８を含む嵌入部分たる嵌入棒２３を有し、リング部分たるリング部４３に嵌入部分たる嵌入棒２３を内嵌したとき、嵌入部分たる嵌入棒２３に対するリング部分たるリング部４３の回転位置に応じて、嵌入部分係合部たる凹部２８とリング部分係合部たる該第２の弦に沿った部分４４ｂｔ２とが互いに係合する係止状態（図１、図１４及び図１５）と、嵌入部分係合部たる凹部２８とリング部分係合部たる該第２の弦に沿った部分４４ｂｔ２との係合が解放される解放状態（図１３）と、をとりうるものである、カーテンつり下げ具である。
【００３４】
また、前記係止状態（図１、図１４及び図１５）と前記解放状態（図１３）との間を遷移する際（嵌入部分たる嵌入棒２３に対してリング部分たるリング部４３を回転させることにより遷移させる。）に、嵌入部分たる嵌入棒２３とリング部分たるリング部４３とが互いに押圧することで嵌入部分たる嵌入棒２３かリング部分たるリング部４３の少なくともいずれかが弾性変形をする（ここでは両者とも弾性変形するが、主としてリング部分たるリング部４３が弾性変形する。）。
【００３５】
そして、前記嵌入部分係合部たる凹部２８は、嵌入部分たる嵌入棒２３の長手方向（図１、図２及び図１５中、矢印Ｊ方向）に沿って複数形成され、前記係止状態においては、前記リング部分係合部たる該第２の弦に沿った部分４４ｂｔ２が、該複数形成された嵌入部分係合部たる凹部２８のいずれかに係合する。
さらに、支持物取付部たる支持物取付部分４１が、カーテンの前記支持物（例えば、カーテンランナー等）に取り付けられたとき、嵌入部分たる嵌入棒２３の長手方向（図１、図２及び図１５中、矢印Ｊ方向）が上下方向に向くものであり、係止状態において、支持物取付部たる支持物取付部分４１に対してカーテン取付部たるカーテン取付部分２１が上昇する方向（図１５中、矢印Ｊ１方向）には嵌入部分係合部たる凹部２８に対してリング部分係合部たる該第２の弦に沿った部分４４ｂｔ２が移動可能であり、かつ、その逆の方向には移動不可能である。
【００３６】
そして、嵌入部分係合部たる凹部２８が凹部によって構成され、前記リング部分係合部たる該第２の弦に沿った部分４４ｂｔ２は、リング部分たるリング部４３の内側に向かって張り出した張り出し部分により構成されている。
さらに、係止状態において該張り出し部分（第２の弦に沿った部分４４ｂｔ２）が該凹部（凹部２８）と係合したときの位置である係合位置（凹部２８の底部２８ｔ）よりも該凹部（凹部２８）の上の上面２８ａが嵌入部分たる嵌入棒２３の長手方向（図１、図２及び図１５中、矢印Ｊ方向）に沿った両方向のうち上方に向かう方向Ｊ８に対してなす角度Ｍ（上面角度）と、該係合位置（凹部２８の底部２８ｔ）よりも該凹部（凹部２８）の下の下面２８ｂが該両方向のうち下方に向かう方向Ｊ９に対してなす角度Ｎ（下面角度）と、を異ならせて形成されている。
【００３７】
また、係止状態において、嵌入部分たる嵌入棒２３とリング部分たるリング部４３とが互いに押圧することで嵌入部分（嵌入棒２３）かリング部分（リング部４３）の少なくともいずれかが弾性変形をしている（嵌入部分（嵌入棒２３）とリング部分（リング部４３）との両者が弾性変形しているが、とりわけリング部分（最も狭い部分４４ｂｔが位置するリング部４３の最上部）が弾性変形している。）。
【図面の簡単な説明】
【図１】一実施形態の本発明のカーテンつり下げ具（本つり下げ具）を示す正面図である。
【図２】カーテン取付部分の正面図である。
【図３】カーテン取付部分の平面図である。
【図４】カーテン取付部分の左側面図である。
【図５】支持物取付部分の正面図である。
【図６】支持物取付部分の平面図である。
【図７】支持物取付部分の左側面図である。
【図８】図５のＥ−Ｅ断面図である。
【図９】図５のＦ−Ｆ断面図である。
【図１０】図６のＧ−Ｇ断面図である。
【図１１】図２の円Ｋ中に存在する凹部の拡大図である。
【図１２】図１２（ａ）は図２のＲ−Ｒ断面図であり、図１２（ｂ）は図２のＳ−Ｓ断面図である。
【図１３】嵌入棒がリング部に遊嵌された解放状態を示す平面図である。
【図１４】図１３の状態から嵌入棒に対してリング部を略９０度回転させて係止状態としたところを示す平面図である。
【図１５】図１４のＷ−Ｗ断面図である。
【図１６】上面角度と下面角度とを説明するための拡大断面図である。
【符号の説明】
１１          本つり下げ具
１１ａ        一端
１１ｂ        他端
２１          カーテン取付部分
２３          嵌入棒
２３ｐ        部分
２４          凸部
２５          挿入棒
２８          凹部
２８ａ        上面
２８ｂ        下面
２８ｔ        底部
２９          外部
４１          支持物取付部分
４３          リング部
４４ａ        第１部分
４４ｂ        第２部分
４４ｂｔ      最も狭い部分
４４ｂｔ１    第１の弦に沿った部分
４４ｂｔ２    第２の弦に沿った部分
４５          貫通穴
４５ａ        円周
４５ｂ        第１の弦
４５ｃ        第２の弦
４７          突起
５１          フック部
５１ａ        第１部分
５１ｂ        第２部分
５１ｂｂ      屈曲部分
５２          間
５３          連結部分
２０１          凹部
２０１ａ        底部
２０２ａ        上面
２０２ｂ        下面
２０３          嵌入部分
２０５          直線
２０７          外部
２０９、２１１  角度
【図１】
2004229949.tif 000003
【図２】
2004229949.tif 000004
【図３】
2004229949.tif 000005
【図４】
2004229949.tif 000006
【図５】
2004229949.tif 000007
【図６】
2004229949.tif 000008
【図７】
2004229949.tif 000009
【図８】
2004229949.tif 000010
【図９】
2004229949.tif 000011
【図１０】
2004229949.tif 000012
【図１１】
2004229949.tif 000013
【図１２】
2004229949.tif 000014
【図１３】
2004229949.tif 000015
【図１４】
2004229949.tif 000016
【図１５】
2004229949.tif 000017
【図１６】
2004229949.tif 000018